【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
同じ色のインクを吐出する複数のノズルが所定の間隔で配列された第１、第２ノズル列のそれぞれのノズルが互いに前記ノズルの配列方向に前記所定の間隔未満の量ずれるように前記第１、第２ノズル列が配置された記録ヘッドと、記録媒体と、を前記配列方向と交差する方向に沿って往方向および復方向に相対的に移動させながら前記ノズルから前記記録媒体にインクを吐出することにより、前記記録媒体の単位領域に対応する画像を複数回の移動に分けて記録するインクジェット記録装置であって、
前記第１ノズル列において、前記配列方向に連続する複数の前記ノズルにより構成される第１ノズル群には所定の記録率より低い記録率での記録を許容し、前記配列方向に連続する複数の前記ノズルにより構成される第１のノズル群と異なる第２ノズル群には前記所定の記録率より高い記録率での記録を許容し、
前記第２ノズル列において、前記配列方向に連続する複数の前記ノズルにより構成され、前記第２ノズル群と前記記録媒体の同じ領域に同一の移動にて記録を行う第３ノズル群に所定の記録率より低い記録率での記録を許容し、前記配列方向に連続する複数の前記第３ノズル群以外の前記ノズルにより構成され、前記第１ノズル群と前記記録媒体の同じ領域に同一の移動にて記録を行う第４ノズル群に所定の記録率より高い記録率での記録を許容し、
前記記録媒体の同一の領域に対し、前記往方向への移動で前記第１領域によって記録を行った領域には、前記復方向への移動では前記第２領域によって記録を行い、前記往方向への移動で前記第３領域によって記録を行った領域には、前記復方向への移動では前記第４領域によって記録を行うことを特徴とするインクジェット記録装置。
【請求項２】
前記記録ヘッドは、前記第１ノズル列と前記第２ノズル列とが前記配列方向に前記所定の間隔の半分の間隔ずれて配置されていることを特徴とする請求項１に記載のインクジェット記録装置。
【請求項３】
前記記録率は、記録の許容を定める画素である記録許容画素と記録の非許容を定める画素である非記録許容画素が配列されることにより構成されるマスクパターンに従って定められ、
前記第２ノズル群に対応するマスクパターンにおける記録許容画素の割合は前記第１ノズル群に対応するマスクパターンにおける記録許容画素の割合よりも大きく、前記第４ノズル群に対応するマスクパターンにおける記録許容画素の割合は前記第３ノズル群に対応するマスクパターンにおける記録許容画素の割合よりも大きいことを特徴とする請求項１または２に記載のインクジェット記録装置。
【請求項４】
前記第１ノズル列は、前記第１ノズル群の前記第２ノズル群側の端に位置する前記ノズルと前記第２ノズル群の前記第１ノズル群側の端の前記ノズルが前記配列方向に隣接し、前記第１ノズル群と前記第２ノズル群が前記配列方向に交互に配置されていることを特徴とする請求項１から３のいずれかに記載のインクジェット記録装置。
【請求項５】
前記第１および第４ノズル群の前記ノズルの数は同じであり、前記第２および第３ノズル群の前記ノズルの数は同じであることを特徴とする請求項１から４のいずれかに記載のインクジェット記録装置。
【請求項６】
前記第１および第２ノズル群に対応する前記ノズルの数は同じであることを特徴とする請求項１から５のいずれかに記載のインクジェット記録装置。
【請求項７】
前記第１および第３ノズル群の前記記録率は同じであり、前記第２および第４ノズル群の前記記録率は同じであることを特徴とする請求項１から６のいずれかに記載のインクジェット記録装置。
【請求項８】
前記第１および第２ノズル列に配置された複数の前記ノズルのそれぞれは同じ量のインクを吐出することを特徴とする請求項１から７のいずれかに記載のインクジェット記録装置。
【請求項９】
前記記録ヘッドを前記記録媒体の単位領域に対して２回相対移動させることにより画像を完成させることを特徴とする請求項１から８のいずれかに記載のインクジェット記録装置。
【請求項１０】
同じ色のインクを吐出する複数のノズルが所定の間隔で配列された第１、第２ノズル列のそれぞれのノズルが互いに前記ノズルの配列方向に前記所定の間隔未満の量ずれて配列されるように前記第１、第２ノズル列が配置された記録ヘッドと、記録媒体と、を前記配列方向と交差する方向に沿って往方向および復方向に相対的に移動させながら前記ノズルから前記記録媒体にインクを吐出することにより、前記記録媒体の単位領域に対応する画像を複数回の移動に分けて記録するインクジェット記録方法であって、
前記第１ノズル列のうちの前記配列方向に連続する複数の前記ノズルにより構成される第１ノズル群は所定の記録率より低い記録率で記録を行い、前記第１ノズル列のうちの前記配列方向に連続する複数の前記ノズルにより構成される第１のノズル群と異なる第２ノズル群は前記所定の記録率より高い記録率で記録を行い、
前記第２ノズル列のうちの前記配列方向に連続する複数の前記ノズルにより構成され、前記第２ノズル群と前記記録媒体の同じ領域に同一の移動にて記録を行う第３ノズル群は所定の記録率より低い記録率で記録を行い、前記配列方向に連続する複数の前記第３ノズル群以外の前記ノズルにより構成され、前記第１ノズル群と前記記録媒体の同じ領域に同一の移動にて記録を行う第４ノズル群は所定の記録率より高い記録率で記録を行い、
前記記録媒体の同一の領域に対し、前記往方向への移動で前記第１領域によって記録を行う領域には、前記復方向への移動では前記第２領域によって記録を行い、前記往方向への移動で前記第３領域によって記録を行う領域には、前記復方向への移動では前記第４領域によって記録を行うことを特徴とするインクジェット記録方法。
【手続補正２】
【補正対象書類名】明細書
【補正対象項目名】０００８
【補正方法】変更
【補正の内容】
【０００８】
そのため、本発明のインクジェット記録装置は、同じ色のインクを吐出する複数のノズルが所定の間隔で配列された第１、第２ノズル列のそれぞれのノズルが互いに前記ノズルの配列方向に前記所定の間隔未満の量ずれるように前記第１、第２ノズル列が配置された記録ヘッドと、記録媒体と、を前記配列方向と交差する方向に沿って往方向および復方向に相対的に移動させながら前記ノズルから前記記録媒体にインクを吐出することにより、前記記録媒体の単位領域に対応する画像を複数回の移動に分けて記録するインクジェット記録装置であって、前記第１ノズル列において、前記配列方向に連続する複数の前記ノズルにより構成される第１ノズル群には所定の記録率より低い記録率での記録を許容し、前記配列方向に連続する複数の前記ノズルにより構成される第１のノズル群と異なる第２ノズル群には前記所定の記録率より高い記録率での記録を許容し、前記第２ノズル列において、前記配列方向に連続する複数の前記ノズルにより構成され、前記第２ノズル群と前記記録媒体の同じ領域に同一の移動にて記録を行う第３ノズル群に所定の記録率より低い記録率での記録を許容し、前記配列方向に連続する複数の前記第３ノズル群以外の前記ノズルにより構成され、前記第１ノズル群と前記記録媒体の同じ領域に同一の移動にて記録を行う第４ノズル群に所定の記録率より高い記録率での記録を許容し、前記記録媒体の同一の領域に対し、前記往方向への移動で前記第１領域によって記録を行った領域には、前記復方向への移動では前記第２領域によって記録を行い、前記往方向への移動で前記第３領域によって記録を行った領域には、前記復方向への移動では前記第４領域によって記録を行うことを特徴とする。
【手続補正３】
【補正対象書類名】明細書
【補正対象項目名】０００９
【補正方法】変更
【補正の内容】
【０００９】
また、本発明のインクジェット記録方法は、同じ色のインクを吐出する複数のノズルが所定の間隔で配列された第１、第２ノズル列のそれぞれのノズルが互いに前記ノズルの配列方向に前記所定の間隔未満の量ずれて配列されるように前記第１、第２ノズル列が配置された記録ヘッドと、記録媒体と、を前記配列方向と交差する方向に沿って往方向および復方向に相対的に移動させながら前記ノズルから前記記録媒体にインクを吐出することにより、前記記録媒体の単位領域に対応する画像を複数回の移動に分けて記録するインクジェット記録方法であって、前記第１ノズル列のうちの前記配列方向に連続する複数の前記ノズルにより構成される第１ノズル群は所定の記録率より低い記録率で記録を行い、前記第１ノズル列のうちの前記配列方向に連続する複数の前記ノズルにより構成される第１のノズル群と異なる第２ノズル群は前記所定の記録率より高い記録率で記録を行い、前記第２ノズル列のうちの前記配列方向に連続する複数の前記ノズルにより構成され、前記第２ノズル群と前記記録媒体の同じ領域に同一の移動にて記録を行う第３ノズル群は所定の記録率より低い記録率で記録を行い、前記配列方向に連続する複数の前記第３ノズル群以外の前記ノズルにより構成され、前記第１ノズル群と前記記録媒体の同じ領域に同一の移動にて記録を行う第４ノズル群は所定の記録率より高い記録率で記録を行い、前記記録媒体の同一の領域に対し、前記往方向への移動で前記第１領域によって記録を行う領域には、前記復方向への移動では前記第２領域によって記録を行い、前記往方向への移動で前記第３領域によって記録を行う領域には、前記復方向への移動では前記第４領域によって記録を行うことを特徴とする。